(57)【要約】【課題】構造が簡単かつ製造が容易で、そのためコストを大きく削減することができるリングバインダ機構を提供する。【解決手段】ルーズリーフ用紙を保持するリングバインダ機構であって、ハウジングと、ハウジングに対してピボット運動する形で支持された２つのヒンジプレートと、複数のリングであって、それぞれリング部材を２つ有し、そのうち少なくとも一方は、対応するヒンジプレートに設置され、そのピボット運動に伴い閉状態と開状態との間を移動する、という複数のリングと、制御手段であって、回転するとヒンジプレートのピボット運動が生じ、そのピボット運動に伴ってリング部材は閉状態に動かされる、という制御手段と、を有し、変形していない状態のハウジング１０１の幅は、水平方向に連結した際の２つのヒンジプレートの幅より狭く、２つのヒンジプレートは、それらの外面の間の角度が必ず１８０度未満になる、という形で配置されている。【選択図】図５
2008055909.tif 000002
【特許請求の範囲】
【請求項１】
ルーズリーフ用紙を保持するためのリングバインダ機構であって、
上部と前記上部とほぼ対向した開口底部とを備えたハウジングと、
ハウジングに対してピボット運動する形で前記ハウジングに支持された２つのヒンジプレートと、
ルーズリーフ用紙を保持するための複数のリングであって、リングはそれぞれリング部材を２つ有し、２つのリング部材のうち少なくとも一方は、対応するヒンジプレートに設置され、前記対応するヒンジプレートのピボット運動に伴いもう一方のリング部材に対してリングの閉状態とリングの開状態との間を移動することができ、２つのリング部材は、リングの閉状態では、リングにより保持されたルーズリーフ用紙が１つのリング部材からもう１つのリング部材へリングに沿って移動できるようほぼ途切れのない閉じたループを形成しており、リングの開状態では、リングからルーズリーフ用紙を出し入れできるよう途切れのある開いたループを形成している、という複数のリングと、
回転可能な形で設置された制御手段であって、回転するとヒンジプレートのピボット運動が生じ、ヒンジプレートのピボット運動に伴ってリング部材はリングの閉状態に動かされる、という制御手段と、を有し、
変形していない状態のハウジング１０１の幅は、水平方向に連結した際の２つのヒンジプレートの幅より狭く、２つのヒンジプレートは、それらの外面の間の角度が必ず１８０度未満になる、という形で配置されていること、
を特徴とするリングバインダ機構。
【請求項２】
設置部分がハウジングの長手方向の端部のそれぞれと一体化された形で形成されており、設置部分は、長手方向の端部の底部から水平方向および長手方向に延びており、平らな部分と平らな部分に一体化され平らな部分を取り囲む形で形成された隆起部分とを有すること、
を特徴とする請求項１に記載のリングバインダ機構。
【請求項３】
隆起部分の断面はU字形であること、
を特徴とする請求項２に記載のリングバインダ機構。
【請求項４】
平らな部分には、固定手段を通すための１つまたは複数の穴が形成されていること、
を特徴とする請求項２に記載のリングバインダ機構。
【請求項５】
平らな底部からはカバーに挿入するための尖った部分が複数突き出していること、
を特徴とする請求項２に記載のリングバインダ機構。
【請求項６】
２つのヒンジプレートの幅は同じであること、
を特徴とする請求項１に記載のリングバインダ機構。
【請求項７】
２つのヒンジプレートの幅は、一方の幅は広くもう一方の幅は狭い、という形で選択されていること、
を特徴とする請求項１に記載のリングバインダ機構。
【請求項８】
各リングの２つのリング部材の長さは異なり、幅の狭い方のヒンジプレートに比較的長いリング部材が、幅の広い方のヒンジプレートに比較的短いリング部材が設置されていること、
を特徴とする請求項７に記載のリングバインダ機構。
【請求項９】
制御手段はハウジングに設置され、制御レバーとカム部分とを有し、カム部分はヒンジプレートの内面と係合すること、
を特徴とする請求項１に記載のリングバインダ機構。
【請求項１０】
プラスチックのバッファをさらに有し、バッファはカム部分に設置されて、カム部分とヒンジプレートとの間の摩擦を減らすこと、
を特徴とする請求項９に記載のリングバインダ機構。
【発明の詳細な説明】
【技術分野】
【０００１】
本発明は、ルーズリーフ用紙を保持するためのリングバインダ機構、さらに詳しく言えば、簡単に構成されており、ファイルまたはノートに固定する形で取り付けることができる改良型リングバインダ機構に関する。
【背景技術】
【０００２】
従来、ルーズリーフ用紙（たとえば、穴開き紙）をファイルまたはノートに保持するためリングバインダ機構が用いられている。たとえば、本発明の出願人により申請された中国特許出願２００５１００５５０２５.２号の図１５乃至１８（B）では、それぞれが２つのリング部材を有するリングを複数有するリングバインダ機構が開示されている。前記リング部材は隣接する２つのヒンジプレートに設置され、これらヒンジプレートは、細長いハウジングの中に収容され、ピボット軸を中心として結合され、細長いハウジングの内部でピボット運動する。そのリングバインダ機構は、回転可能な制御手段をさらに有し、制御手段は細長いハウジングの中央に設置され、突起部が備えられている。制御手段をハウジングの方へ下向きに回転させれば、制御手段の突起部は２つのヒンジプレートに作用してこれらを下向きにピボット運動させ、最後にはヒンジプレートに設置されたリング部材が閉じて一体に固定される。ヒンジプレートの下にはスプリングが設けられている。リングバインダ機構を開けるには、制御手段をハウジングから遠ざける形で上向きに回転させると、ヒンジプレートに取り付けられたスプリングがヒンジプレートを同一平面上の位置を通る形で上向きにピボット運動させ、リング部材が開く。
【０００３】
従来のリングバインダ機構は、ヒンジプレートの下に設けられたスプリングの押す動作によってのみ開けられる。したがって、従来のリングバインダ機構にスプリングは必要であり、そのことが、複雑な構造や面倒な製造工程、それから高コストにつながる。
リングバインダ機構をファイルまたはノートのカバーに取り付けるため、通常はハウジングの両端の平らな延長部分に穴が形成され、リングバインダ機構をリベットのような固定手段によりファイルまたはノートに固定することができる。しかし、ハウジングの両端の平らな延長部分の強度は極めて低いため、使用中に変形しやすく、変形してしまうとリングバインダ機構をファイルまたはノートのカバーにしっかりと設置することができない。
【０００４】
さらに、従来のリングバインダ機構を開けた際の、２つのリング部材の自由端同士の間隔は、ルーズリーフ用紙へ容易にアクセスできるほど広くない。
したがって、改良型のリングバインダ機構が必要とされている。
【特許文献１】中国特許出願２００５１００５５０２５.２号
【発明の開示】
【発明が解決しようとする課題】
【０００５】
そこで、本発明は、構造が簡単かつ製造が容易で、そのためコストを大きく削減できる、というリングバインダ機構を提供することを目的とする。
また、本発明は、補強構造を有し、ファイルまたはノートのカバーにしっかりと設置することができる、というリングバインダ機構を提供することを目的とする。
さらに、本発明は、リングバインダ機構を開けた際の２つのリング部材の自由端同士の間には、ルーズリーフ用紙へのアクセスを容易にするだけの大きな間隔が開く、というリングバインダ機構を提供することを目的とする。  
【課題を解決するための手段】
【０００６】
本発明によれば、ルーズリーフ用紙を保持するためのリングバインダ機構は、上部と前記上部とほぼ対向した開口底部とを備えたハウジングと、ハウジングに対してピボット運動する形で前記ハウジングに支持された２つのヒンジプレートと、ルーズリーフ用紙を保持するための複数のリングであって、リングはそれぞれリング部材を２つ有し、２つのリング部材のうち少なくとも一方は、対応するヒンジプレートに設置され、前記対応するヒンジプレートのピボット運動に伴いもう一方のリング部材に対してリングの閉状態とリングの開状態との間を移動することができ、２つのリング部材は、リングの閉状態では、リングにより保持されたルーズリーフ用紙が１つのリング部材からもう１つのリング部材へリングに沿って移動できるようほぼ途切れのない閉じたループを形成しており、リングの開状態では、リングからルーズリーフ用紙を出し入れできるよう途切れのある開いたループを形成している、という複数のリングと、回転可能な形で設置された制御手段であって、回転するとヒンジプレートのピボット運動が生じ、ヒンジプレートのピボット運動に伴ってリング部材はリングの閉状態に動かされる、という制御手段と、を有し、変形していない状態のハウジング１０１の幅は、水平方向に連結した際の２つのヒンジプレートの幅より狭く、２つのヒンジプレートは、それらの外面の間の角度が必ず１８０度未満になる、という形で配置されている。
【発明の効果】
【０００７】
本発明によるリングバインダ機構において、２つのヒンジプレートは、両者の外面同士の間の角度は必ず１８０度未満である、という形で配置されている。そのため、ハウジングの弾性は常に、ヒンジプレートのピボット軸を押して上向きにハウジングの高くなった平らな水平部分の方へ移動させ、ヒンジプレートに設置されたリング部材は、ヒンジプレートの動きに伴って互いから遠ざかる形で移動する。したがって、本発明によるリングバインダ機構は、構造が簡単かつ製造が容易で、そのためコストを大きく削減することができる。
ハウジングの長手方向の端部のそれぞれの設置部分は平らな部分を取り囲む隆起部分（リッジ）を有するため、ハウジングの構造強度は大きく高まり、リングバインダ機構はファイルまたはノートのカバーに設置される際に変形しない。よって、リングバインダ機構をファイルまたはノートのカバーにしっかりと設置することができる。  
【０００８】
２つのヒンジプレートの幅は、一方の幅は広くもう一方の幅は狭い、という形に選択してもよいため、リング部材は、幅が狭いヒンジプレートの移動に伴ってより大きな範囲で開くこともできる。そのため、リング部材を開いた際のリング部材の自由端同士の間隔は比較的大きくなり、ルーズリーフ用紙へのアクセスには非常に都合がよい。
【発明を実施するための最良の形態】
【０００９】
本発明の特徴および効果については、添付の図面を参照しながら、好ましい実施の形態に関する以下の詳細な説明を読めば、さらに明らかになるだろう。
図１乃至１４には、本発明によるリングバインダ機構１００が示されている。リングバインダ機構１００は全体的には、ハウジング１０１と、２つのリング１０３と、２つのヒンジプレート１０５と、そして制御手段１０７とを有する。制御手段１０７はハウジング１０１に支持されており、リング１０３はヒンジプレート１０５に設置されている。後で説明するように、制御手段１０７をハウジングに対し回転させることで、リングバインダ機構１００を閉じた形で固定してルーズリーフ用紙を保持したり、リングバインダ機構１００を開けてルーズリーフ用紙をリング１０３から出し入れしたりすることができる。
【００１０】
ハウジング１０１は細長く、全体的にはアーチ型の対称形の断面を有する。ハウジングの上部の中央には、全体として高くなった平らな水平部分１０９が形成されている。ハウジング１０１は長手方向の軸と、長手方向に沿って伸びた対向する２つの長手方向のエッジ部分１１１と、そして２つの長手方向の端部１１３とを有する。ハウジング１０１の２つの長手方向のエッジ部分１１１はそれぞれ、わずかに下向きに曲がり、折り込まれたリム１１１aを長手方向に形成している。ハウジング１０１は金属で作ってもよいが、金属以外でも、リングバインダ機構１００の他の構成部品を確実に安定した形で設置できるだけの剛性を有し、スプリングとして機能するのに充分な弾性を有するのであれば、他の適当な素材で作ることも考えられる。
制御手段１０７を収容するための開口部１１５がハウジング１０１の全体的に水平な部分１０９に形成され、開口部１１５の両側にはそれぞれ、位置合わせされた形で穴を備えた突起部分１１７が形成されている。制御手段１０７はピボットシャフト１１９により、ピボット運動可能な形でハウジング１０１に設置され、前記ピボットシャフト１１９は、制御手段１０７および突起部分１１７の穴を通る形で延びている。好ましい構成として、開口部１１５と突起部分１１７とは、ハウジング１０１へのパンチまたは切り抜きにより同時にハウジング１０１に形成される。ハウジング１０１の強度を高めるため、ハウジング１０１には複数の補強リブをハウジング１０１を横切る形で形成してもよい。好ましい構成として、補強リブはパンチによりハウジング１０１に一体化された形で形成することができる。さらに、対向する切り抜き１２１の組が、ハウジング１０１の２つの長手方向のエッジ部分１１１に設けられ、リング１０３は切り抜き１２１の中を通る形で延びることができる。理解すべき点として、本発明の範囲内には、非対称形ハウジングなどの異なる形状のハウジング、および、異なる数や異なる形状の開口部または切り抜きとを備えたハウジングも含まれる。
【００１１】
ヒンジプレート１０５はそれぞれ、薄く細長い。ヒンジプレート１０５の長さはハウジング１０１よりわずかに短く、外側長手方向エッジ１０５aと、内側長手方向エッジ１０５bと、そして２つの長手方向の端部とを有する。ヒンジプレート１０５は、それら自体の内側長手方向エッジ１０５bに沿って並列に置かれた形で相互接続され、ピボット軸を備えた中央ヒンジを形成している。これは、本技術分野では公知の従来の方法で実現することができる。相互接続されたヒンジプレート１０５は、ハウジング１０１の内部に配置され、各ヒンジプレートの外側長手方向エッジ１０５aがハウジング１０１の上面部分とそれに対応する折り込まれたリム１１１aとの間に緩くはまっている、という形になる。したがって、ヒンジプレート１０５はハウジング１０１の内部で支持されているが、外側長手方向エッジ１０５aはハウジング１０１の上面とそれに対応する折り込まれたリム１１１aとの間で自由に動くことができる。
【００１２】
各リング１０３は、リング部材１０３a、１０３bを有し、リング部材１０３a、１０３bは２つのヒンジプレート１０５にそれぞれ設置されている。リング部材１０３a、１０３bは、円形の形状をした断面を有し、鋼鉄などの適当な金属で作ることができる。２つのヒンジプレート１０５は折り込まれたリム１１１aの支持力を利用したピボット運動ができるため、リング部材１０３a、１０３bはリングの閉状態と開状態との間を移動することができる。リングの閉状態では、リング部材１０３a、１０３bは全体的に途切れのない閉じたループを形成し、リングにより保持されたルーズリーフ用紙は１つのリング部材からもう１つのリング部材へリング１０３に沿って移動できる。リングの開状態では、リング部材は途切れのある開いたループを形成し、リング１０３からルーズリーフ用紙の出し入れができる。図示された実施の形態では、各リングのリング部材は両方ともヒンジプレートのピボット運動に伴い移動することができるが、各リングが移動可能なリング部材と固定されたリング部材とを１つずつ有するという機構も本発明の範囲内に含まれる。さらに、３つ以上のリングを有する機構や、閉じた際に他の形状となる（たとえば、両方のリング部材が半円形である）リングを有する機構も本発明の範囲内に含まれる。
【００１３】
上述したように、制御手段１０７はハウジング１０１により支持され、ハウジング１０１に対し回転できる形となっている。本実施の形態における制御手段１０７は、制御レバー１２３とヒンジプレート１０５の内面（たとえば、ハウジングの高くなった平らな水平部分１０９に対向する面）と係合するカム部分１２５とを有する。本実施の形態において、制御レバー１２３は、金属シートの折り曲げ加工によりカム部分１２５と一体化された形で形成されている。しかしながら、それらを別個に形成し、その後共に組み立てることもできる。図８から見てとれるように、カム部分１２５は２つの別個のカムシート１２７で形作られている。カム部分１２５とヒンジプレート１０５との摩擦を減らすため、プラスチックのバッファ（図示せず）を２つの別個のカムシート１２７の間に対応する形で配置してもよい。
【００１４】
本発明によるリングバインダ機構において、ヒンジプレート１０５は、２つのヒンジプレート１０５の外面（すなわち、ハウジング１０１の高くなった平らな水平部分１０９から見て外を向いた面）の間の角度は必ず１８０度未満で、２つのヒンジプレート１０５は同一平面位置（すなわち、２つのヒンジプレート１０５の外面同士の間の角度が１８０度となる位置）には絶対に来ない、という形で配置されている。言い換えれば、２つのヒンジプレート１０５の外面（すなわち、ハウジング１０１の全体として高くなった平らな水平部分１０９から見て外を向いた面）の間の角度は、リングバインダ機構がリングの閉固定状態（図８）にあっても開状態（図１４）にあっても、必ず１８０度未満である。変形していない状態のハウジング１０１は、水平方向に連結した状態のヒンジプレート１０５よりわずかに狭いため、ハウジング１０１の弾性は常に、ヒンジプレート１０５のピボット軸を押して上向きに移動させ、このことはリング部材１０３a、１０３bを閉じる方向ではなく開ける方向へとピボット運動させる傾向を有する。
【００１５】
リングバインダ機構をカバーに取り付けるため、ハウジング１０１のそれぞれの長手方向の端部１１３には設置部分１２９が一体化された形で形成されている。設置部分１２９は、長手方向の端部１１３の底部から横方向に延び、一般的に、平らな部分１２９aと隆起部分（リッジ）１２９bとを有し、隆起部分１２９bは、平らな部分１２９aと一体化され平らな部分１２９aを取り囲む形で形成されている。図６に示されているように、隆起部分１２９bの断面は好ましい構成としてU字形である。平らな部分１２９aには固定手段を通すことができるように１つまたは複数の穴１２９cが形成され、それによりリングバインダ機構をカバーに取り付けられるようになっている。あるいは、複数の尖った部分が平らな部分１２９aの底部から突き出した形でカバーに差し込まれ、それにより追加の固定手段を用いずにリングバインダ機構をカバーに取り付けることができる。
【００１６】
留意すべき点として、図示されたリングバインダ機構における２つのヒンジプレートの幅は同じである。リングバインダ機構が開く際に、幅が同じヒンジプレート１０５は同じ範囲を移動し、これによりリング部材１０３aの自由端とリング部材１０３bの自由端との間に開く間隔はある範囲に限定される。好ましい構成として、２つのヒンジプレート１０５の幅は、一方の幅は広くもう一方の幅は狭い、という形になるように選択する。リングバインダ機構がリングの閉状態から開状態に動く際に、幅の狭いヒンジプレート１０５の移動の角度範囲は、幅の広いヒンジプレート１０５の角度範囲より大きい。そのため、幅の狭いヒンジプレート１０５に設置されたリング部材は、幅が狭いヒンジプレート１０５の移動に伴ってより大きな範囲で開くことができる。そうして、開状態でのリング部材の自由端同士の間隔はより大きくなり、ルーズリーフ用紙へのアクセスには非常に都合がよい。好ましい構成として、各リングのリング部材２つを異なったもの、または非対称のものとする場合は、幅の狭いヒンジプレートには比較的長いリング部材を、幅の広いヒンジプレートには比較的短いリング部材を設置する。２つのヒンジプレート１０５の幅が異なる場合、ハウジング１０１の形状は対称的にしてもよいし、非対称にしてもよい。
【００１７】
以下、リングバインダ機構の動作について、図と関連付けながら説明する。制御手段１０７はリングバインダ機構１００を、図１乃至８に示されたリングの閉固定状態へ、そして図１０乃至１４に示されたリングの開状態へ、選択的に移動させる。リングバインダ機構１００を閉じるには、図１０に示すリングバインダ機構の制御手段の制御レバー１２３をハウジングの方（下の方）へ回転させて、制御手段のカム部分１２５の作用端部が２つのヒンジプレート１０５に押し付けられる形にする。カム部分１２５の作用を受けて、ヒンジプレート１０５のピボット軸は、ハウジングの高くなった平らな水平部分１０９から遠ざかる形で下向きに移動し、ヒンジプレート１０５に設置されたリング部材１０３a、１０３bはヒンジプレートの移動と共に移動し、ルーズリーフ用紙を保持する閉じたループを形成する形となる。リングの閉固定状態においては、制御手段１０７のカム部分１２５はまだヒンジプレート１０５を押さえた状態のままなので、リング部材１０３a、１０３bは互いに結合しており、互いに引き離されることはない。リングの閉固定状態において、図８に示されているように、ヒンジプレート１０５は、その外面の間の角度が最大値となる位置にあるが、それでも角度は１８０度には満たない。
【００１８】
リングバインダ機構１００を開くには、図５に示すリングバインダ機構の制御手段の制御レバー１２９を上向き（ハウジングから遠ざかる方）に回転させて、制御手段のカム部分１２５を２つのヒンジプレート１０５から引き離せばよい。操作者が、手動またはハウジング１０１の弾性でリング部材同士を引き離せば、ヒンジプレート１０５のピボット軸は上向きにハウジングの高くなった平らな水平部分１０９の方へ移動し、ヒンジプレート１０５に設置されたリング部材１０３a、１０３bはヒンジプレートの移動に伴って互いと離れることになる。ハウジング１０１の弾性により、リング部材１０３a、１０３bはルーズリーフ用紙の出し入れに適したリングの開状態のまま維持される。リングの開状態では、図１４に示すように、ヒンジプレート１０５は、その外面の間の角度が最小値となる位置にある。
【００１９】
本発明によるリングバインダ機構１００において、２つのヒンジプレート１０５は、それらの外面同士の角度は必ず１８０度未満である、という形で配置されている。そのため、ハウジング１０１の弾性は常に、ヒンジプレート１０５のピボット軸を上向きに、ハウジングの高くなった平らな水平部分１０９の方へ移動させる傾向を有し、ヒンジプレート１０５に設置されたリング部材１０３a、１０３bは、ヒンジプレートの動きに伴って互いから離れる形で移動する。したがって、本発明によるリングバインダ機構は、構造が簡単かつ製造が容易で、そのためコストを大きく削減することができる。
ハウジング１０１の長手方向の端部１１３それぞれにある設置部分１２９は平らな部分１２９aを取り囲む形の隆起部分（リッジ）１２９bを有するため、ハウジングの構造強度は大きく高まり、リングバインダ機構はファイルまたはノートのカバーに設置される際に変形しない。よって、リングバインダ機構をファイルまたはノートのカバーにしっかりと設置することができる。  
【００２０】
２つのヒンジプレートの幅は、一方の幅は広くもう一方の幅は狭い、という形になるよう選択されているため、リング部材は、幅が狭いヒンジプレートの移動に伴ってより大きな範囲で開くことができる。そのため、リング部材が開いた際のリング部材の自由端同士の間隔は比較的大きくなり、ルーズリーフ用紙へのアクセスには非常に都合がよい。
本発明の機構の構成部品は、金属（たとえば、鋼鉄）などの適当な素材で作られている。しかし、非金属性の素材（具体的に言えば、プラスチックなど）から作られた機構であっても本発明の範囲内に含まれる。
【００２１】
本発明の部品について説明する際の冠詞（"a"、"an"、"the"、"said"）は、部品が単数か複数かを示すためのものである。「〜を有する」という言葉は、包括的であって、挙げた部品の他にも追加的なものがある可能性を示すため用いられている。さらに、「上」や「下」、そしてそれらの変化形などの方向を示す言葉は便宜上用いられているが、構成部品の何らかの特定の方向付けを必要とするものではない。
【００２２】
本発明の範囲を逸脱しない形で上記のリングバインダ機構にはさまざまな変更を加えることができるため、上記記載に含まれ添付の図面に示された全ての内容は、非限定的な例として理解されるべきものである。
【図面の簡単な説明】
【００２３】
【図１】本発明によるリングバインダ機構をリングの閉固定状態において示す正面図である。
【図２】本発明によるリングバインダ機構をリングの閉固定状態において示す左側面図である。
【図３】本発明によるリングバインダ機構をリングの閉固定状態において示す上面図である。
【図４】本発明によるリングバインダ機構をリングの閉固定状態において示す底面図である。
【図５】本発明によるリングバインダ機構をリングの閉固定状態において示す上側からの斜視図である。
【図６】本発明によるリングバインダ機構をリングの閉固定状態において示す上側からの斜視図であって、内部構造を示すためハウジングの一部を取り除いて示した図である。
【図７】本発明によるリングバインダ機構をリングの閉固定状態において示す下側からの斜視図である。
【図８】図５の線８−８に沿った断面図である。
【図９】本発明によるリングバインダ機構の分解斜視図である。
【図１０】本発明によるリングバインダ機構をリングの開状態において示す上側からの斜視図である。
【図１１】本発明によるリングバインダ機構をリングの開状態において示す上側からの斜視図であって、内部構造を示すためハウジングの一部を取り除いて示した図である。
【図１２】本発明によるリングバインダ機構をリングの開状態において示す上側からの斜視図であって、ルーズリーフ用紙へのアクセスのため制御手段は他方の端部まで回された形で示されている。
【図１３】本発明によるリングバインダ機構をリングの開状態において示す下側からの斜視図である。
【図１４】図１０の線１４−１４に沿った断面図である。なお、全ての図を通して、同じ参照番号は、同じ部品を示している。
【図１】
2008055909.tif 000003
【図２】
2008055909.tif 000004
【図３】
2008055909.tif 000005
【図４】
2008055909.tif 000006
【図５】
2008055909.tif 000007
【図６】
2008055909.tif 000008
【図７】
2008055909.tif 000009
【図８】
2008055909.tif 000010
【図９】
2008055909.tif 000011
【図１０】
2008055909.tif 000012
【図１１】
2008055909.tif 000013
【図１２】
2008055909.tif 000014
【図１３】
2008055909.tif 000015
【図１４】
2008055909.tif 000016